(57)【要約】【課題】シートスライド装置において、メモリ時と復帰時との間において、シートを正確な元位置に復帰させる。【解決手段】シートスライド装置１は、車両に固定される固定レール３と、前記車両のシートを保持すると共に、前記固定レール３に対し相対的に移動可能な可動レール４と、前記固定レール３に対する前記可動レール４の移動を規制するロック部材２２と、前記ロック部材２２による規制の解除に連動して前記固定レール３の係止孔３４に挿入されると共に、前記係止孔３４に挿入された状態で前記可動レール４の移動を制限するメモリピン１３と、前記メモリピン１３に移動可能に支持されると共に、前記メモリピン１３の挿入時に該メモリピン１３と共に前記係止孔３４に挿入できるように構成され、且つ該係止孔３４への挿入により、該係止孔３４の内縁に当接する少なくとも一つの係止補助部材１４，１５とを備える。【選択図】図４
2015113070.tif 000002
【特許請求の範囲】
【請求項１】
車両に固定される固定レールと、
前記車両のシートを保持すると共に、前記固定レールに対し相対的に移動可能な可動レールと、
前記固定レールに対する前記可動レールの移動を規制するロック部材と、
前記ロック部材による規制の解除に連動して前記固定レールの係止孔に挿入されると共に、前記係止孔に挿入された状態で前記可動レールの移動を制限するメモリピンと、
前記メモリピンに移動可能に支持されると共に、前記メモリピンの挿入時に該メモリピンと共に前記係止孔に挿入できるように構成され、且つ該係止孔への挿入により、該係止孔の内縁に当接する少なくとも一つの係止補助部材とを備える、シートスライド装置。
【請求項２】
前記メモリピンは、前記係止孔に挿入される係止部を有しており、
前記係止補助部材は、テーパ形状を有すると共に、前記係止部の延在方向に移動可能に支持されている、請求項１に記載のシートスライド装置。
【請求項３】
前記テーパ形状は、前記係止補助部材の先端に向かって段階的に先細る形状である、請求項２に記載のシートスライド装置。
【請求項４】
前記係止補助部材は、前記可動レールの移動方向において前記メモリピンの前側及び後側のうちの少なくとも一方に配置されている、請求項１から３のいずれか１項に記載のシートスライド装置。
【請求項５】
前記係止孔に向かって前記係止補助部材を付勢する弾性部材を備える、請求項１から４のいずれか１項に記載のシートスライド装置。
【請求項６】
前記メモリピンは、前記係止補助部材を案内する案内部を有する、請求項１から５のいずれか１項に記載のシートスライド装置。
【請求項７】
前記メモリピンの先端部に、前記係止補助部材の先端に当接して該係止補助部材の抜け落ちを防止する脱落規制部を有する、請求項１から６のいずれか１項に記載のシートスライド装置。
【発明の詳細な説明】
【技術分野】
【０００１】
本発明は、シートスライド装置、特に車両用のシートスライド装置に関する。
【背景技術】
【０００２】
従来、車両用のシートスライド装置として、シート位置のメモリ機能を有するシートスライド装置があった。そして、このシートスライド装置として、ロアレール及びアッパレールと、ロアレール及びアッパレールの相対移動を規制するロック部材と、シートバックの前倒しに連動してロアレールに係止されるメモリピースと、アッパレールに設けられ、メモリピースの前部と当接可能な受け部と、アッパレールに設けられ、メモリピースの後部と当接可能な曲成部及びメモリピースをロアレールに係止する押圧部を有するメモリプレートと、を備える装置が知られていた（特許文献１）。
【０００３】
具体的にこのシートスライド装置においては、メモリピースがロアレールから離脱しているときは、受け部及び曲成部でメモリピースを保持してアッパレールに連動して移動させる。そして、メモリピースがロアレールに係止されているときは、押圧部でメモリピースをロアレールに係止する。このメモリピースは、下側に突出する係止ピン（メモリピン）を含む係止体を有している。また、ロアレールの底壁部には、複数の係止孔が所定の間隔をもって並設されている。そして、シートを前倒しして、ロック部材による規制が解除されると、同時に係止ピンが下方に移動される。これにより、係止ピンの先端は、係止ピンの下側に位置する係止孔を貫通し、メモリピースがロアレールに係止される。
【０００４】
その後、シートを前方へ移動すると、メモリピースは、メモリプレートの押圧部によって係止された状態に維持される。これにより、メモリピースを残置したままで、シートが前方へ移動される。そして、シートを元位置に戻すために後方へ移動すると、アッパレールの受け部が元位置（メモリ位置）に残置されたメモリピースの前部に当接する。この状態で、ロック部材のロック爪をロアレールのロック孔に挿入し、ロアレール及びアッパレールの相対移動が規制される。このようにして、シート（アッパレール）を元位置に戻すことができる。
【先行技術文献】
【特許文献】
【０００５】
【特許文献１】特開２００８−２４７１４３号公報
【発明の概要】
【発明が解決しようとする課題】
【０００６】
このようなシートスライド装置においては、メモリピンと、ロアレールの係止孔とにクリアランスが設定されている。つまり、係止孔の内径は、メモリピンの外径よりも大きく設計されている。そのため、シートを元位置に戻す際に、アッパレールの受け部がメモリピースの前部に当接すると、メモリピンが係止孔の後側内縁に当接するまでメモリピースが移動してしまう。このように、メモリピンと係止孔との相対位置にずれが生じる様子を、比較例１を参照して説明する。
【０００７】
図８Ａ及び図８Ｂはロック部材のロック爪１０２３とロアレールのロック孔１０３５とを示し、図８Ｃ及び図８Ｄは、メモリピン１０１３とロアレールの係止孔１０３４とを示す。また、図８Ａ及び図８Ｃは、メモリピン１０１３が係止孔１０３４に挿入されたメモリ時の状態を示し、図８Ｂ及び図８Ｄは、シートを元位置に移動した復帰時の状態を示す。また、図８Ａにおいては、メモリ時のロック爪１０２３の中心線を一点鎖線で示している。図８Ｂにおいては、メモリ時のロック爪１０２３の中心線を一点鎖線で示し、復帰時のロック爪１０２３の中心線を二点鎖線で示している。
【０００８】
メモリ状時のメモリピン１０１３と係止孔１０３４との間には、クリアランスの差に起因する隙間が生じる。図８Ｃにおいては、メモリピン１０１３と係止孔１０３４の前側内縁との隙間ｄ１と、メモリピン１０１３と係止孔１０３４の後側内縁との隙間ｄ２とが生じている。その後、シートを元位置に戻すために、アッパレールを後方に移動させると、メモリピースの前部にアッパレールの受け部が当接する。そして、係止孔の後側内縁に当接するまで、メモリピースが力Ｆで後方に押される。その結果、アッパレール及びメモリピースは、隙間ｄ２に対応する距離だけ後方に移動する。そのため、図８Ｄに示すように、復帰時のメモリピン１０１３と係止孔１０３４の前側内縁との間には、隙間ｄ１に隙間ｄ２を加えた隙間ｄ３が生じる。
【０００９】
一方、メモリ時のロック爪１０２３は、ロック孔１０３５から離脱しており、ロアレール及びアッパレールの相対移動の規制は解除されている。その後、シートを元位置に戻すために、アッパレールを後方に移動させると、アッパレールと共にロック爪１０２３も後方に移動する。その結果、アッパレール及びメモリピースが、隙間ｄ２に対応する距離だけ後方に移動すると、ロック爪１０２３も隙間ｄ２と同じ距離ｄ４だけ後方に移動する。そのため、図８Ｂに示すように、ロック爪１０２３とロック孔１０３５との相対位置にずれが生じてしまう。これにより、ロック孔１０３５からずれてしまったロック爪１０２３は、ロック孔１０３５への挿入を妨げられてしまう。その結果、ロアレール及びアッパレールの相対移動を規制することができなくなることがある。
【００１０】
この状態で、アッパレールがさらに後方に移動すると、ロック爪１０２３が、矢印Ｍで示すように元のロック孔１０３５とは異なる（後方において隣接する）ロック孔１０３５’に挿入されてしまう。その結果、シートを元位置に復帰させることができなくなるおそれがある。
【００１１】
この問題を解決するために、メモリピンの先端形状をテーパ状に形付けることが考えられる。このテーパ状の先端を有するメモリピンについて、比較例２を参照して説明する。図９Ａ及び図９Ｂはロック部材のロック爪２０２３とロアレールのロック孔２０３５とを示し、図９Ｃ及び図９Ｄは、メモリピン２０１３と係止孔２０３４とを示す。また、図９Ａ及び図９Ｃは、メモリピン２０１３が係止孔２０３４に挿入されたメモリ時の状態を示し、図９Ｂ及び図９Ｄは、シートを元位置に移動した復帰時の状態を示す。
【００１２】
比較例２のメモリピン２０１３は、テーパ状の先端を有する。そして、メモリ時のメモリピン２０１３は、先端が係止孔２０３４の内縁に当接するまで係止孔２０３４に挿入される。そのため、メモリピン２０１３と係止孔２０３４との間には、図９Ｃに示すように隙間が生じていない。これにより、メモリ時の係止孔２０３４の後側内縁とメモリピン２０１３の隙間に起因する、復帰時の位置ずれは生じない。しかし、シートを元位置に戻すために、アッパレールを後方に移動させると、メモリピースの前部にアッパレールの受け部が当接する。そして、係止孔２０３４の後側内縁に当接するまで、メモリピースが力Ｆで後方に押される。その結果、メモリピン２０１３のテーパ面が係止孔２０３４の後側内縁に当接する。ここで、大きな力でアッパレールを後方に移動させたときには、メモリピン２０１３のテーパ面が係止孔２０３４の後側内縁に乗り上がるおそれがある。この場合、メモリピン２０１３が後方に向かって斜め上方に移動する共に、メモリピースが後方に移動してしまう。そのため、図９Ｄに示すように、復帰時のメモリピン２０１３と係止孔２０３４の前側内縁との間には、隙間ｄ５が生じてしまう。
【００１３】
一方、メモリ時のロック爪２０２３は、ロック孔２０３５から離脱しており、ロアレール及びアッパレールの相対移動の規制は解除されている。その後、シートを元位置に戻すために、アッパレールを後方に移動させると、アッパレールと共にロック爪２０２３も後方に移動する。その結果、アッパレール及びメモリピースが、隙間ｄ５に対応する距離だけ後方に移動すると、ロック爪２０２３も隙間ｄ５同じ距離ｄ６だけ後方に移動する。そのため、図９Ｂに示すように、ロック爪２０２３とロック孔２０３５との相対位置にずれが生じてしまう。これにより、ロック孔２０３５からずれてしまったロック爪２０２３は、ロック孔２０３５への挿入を妨げられてしまう。その結果、ロアレール及びアッパレールの相対移動を規制することができなくなることがある。
【００１４】
テーパ状の先端を有するメモリピンであっても、このような状態で、アッパレールがさらに後方に移動すると、ロック爪２０２３が、矢印Ｍで示すように元のロック孔２０３５とは異なる（後方において隣接する）ロック孔２０３５’に挿入されてしまう。その結果、シートを元位置に復帰させることができなくなるおそれがある。
【課題を解決するための手段】
【００１５】
上記課題を解決するため、本発明の一例としてのシートスライド装置は、車両に固定される固定レールと、前記車両のシートを保持すると共に、前記固定レールに対し相対的に移動可能な可動レールと、前記固定レールに対する前記可動レールの移動を規制するロック部材と、前記ロック部材による規制の解除に連動して前記固定レールの係止孔に挿入されると共に、前記係止孔に挿入された状態で前記可動レールの移動を制限するメモリピンと、前記メモリピンに移動可能に支持されると共に、前記メモリピンの挿入時に該メモリピンと共に前記係止孔に挿入できるように構成され、且つ該係止孔への挿入により、該係止孔の内縁に当接する少なくとも一つの係止補助部材とを備える。
【００１６】
これにより、メモリ時と復帰時との間において、メモリピンと係止孔との間の隙間を埋めることができるので、相対位置のずれの発生を防止できる。そのため、ロック爪とロック孔との相対位置のずれを防止できるので、シートを正確な元位置に復帰させることができる。
【００１７】
本発明のさらなる特徴は、添付図面を参照して例示的に示した以下の実施例の説明から明らかになる。
【図面の簡単な説明】
【００１８】
【図１】シートを示す概略側面図である。
【図２】シートスライド装置を示す概略分解斜視図である。
【図３】シートスライド装置を長手方向に切った断面を示す概略断面図である。
【図４Ａ】第１実施形態に係るメモリピースを示す概略図である。
【図４Ｂ】第１実施形態に係るメモリ時のメモリピースを示す概略図である。
【図５】図４Ａに示すメモリピンの係止部のＶ−Ｖ断面を示す概略断面図である。
【図６】実施形態１に係るメモリピンの係止部を示す概略分解斜視図である。
【図７Ａ】第２実施形態に係るメモリピースを示す概略図である。
【図７Ｂ】第２実施形態に係るメモリ時のメモリピースを示す概略図である。
【図８Ａ】比較例１に係るメモリ時のロック爪を示す概略図である。
【図８Ｂ】比較例１に係る復帰時のロック爪を示す概略図である。
【図８Ｃ】比較例１に係るメモリ時のメモリピンを示す概略図である。
【図８Ｄ】比較例１に係る復帰時のメモリピンを示す概略図である。
【図９Ａ】比較例２に係るメモリ時のロック爪を示す概略図である。
【図９Ｂ】比較例２に係る復帰時のロック爪を示す概略図である。
【図９Ｃ】比較例２に係るメモリ時のメモリピンを示す概略図である。
【図９Ｄ】比較例２に係る復帰時のメモリピンを示す概略図である。
【発明を実施するための形態】
【００１９】
以下、本発明を実施するための例示的な実施形態を、図面を参照して詳細に説明する。ただし、以下の実施形態で説明する寸法、材料、形状、構成要素の相対的な位置等は任意であり、本発明が適用される装置の構成又は様々な条件に応じて変更できる。また、特別な記載がない限り、本発明の範囲は、以下に具体的に記載された実施形態に限定されるものではない。なお、本明細書において、上下とは重力方向における上方向と下方向とにそれぞれ対応する。また、車両のフロント側の方向を前方向といい、車両のリア側の方向を後方向という。
【００２０】
［第１実施形態］
図１は、自動車などの車両の前側に搭載される車両用のシート１００の概略側面図である。車両の床面２００には、車両の前後方向に延在する固定レールとしてのロアレール３が前後一対のブラケット９を介して固定されている。また、ロアレール３には、前後方向に移動できる可動レールとしてのアッパレール４が、ロアレール３に対し相対的に移動可能に取り付けられている。
【００２１】
ロアレール３及びアッパレール４は、シート１００の前後方向に直交する幅方向において、それぞれ対をなして配設されている。そして、一対のアッパレール４にはシートクッション７が固定されている。このシートクッション７は、アッパレール４に固定された状態で、ロアレール３に対して前後方向に移動可能である。なお、ロアレール３に対するアッパレール４の移動は、後述するロックレバー２２によって規制される。そのため、シート１００には、ロックレバー２２による規制を解除するためのロック解除ハンドル６が設けられている。また、シートクッション７の後部には、回動軸５周りに揺動可能に支持されたシートバック８が設けられている。このシートバック８は、不図示の調整レバーを操作することにより、図１に点線で示す前傾位置へと前倒しすることができる。
【００２２】
次に、車両用のシートスライド装置１について、図２及び図３に基づいて説明する。図２は、シートスライド装置１の概略分解斜視図である。また、図３は、シートスライド装置１を前後方向に切った断面を示す概略断面図である。なお、左右のロアレール３は、同様の構造を備えており、左右のアッパレール４も、同様の構造を備えている。そのため、以下の説明においては、必要な場合を除いてシートスライド装置１の前方に向かって右側の構造について説明する。
【００２３】
図２に示すように、シートスライド装置１は、車両に固定されるロアレール３と、車両のシート１００を保持すると共に、ロアレール３に対し相対的に移動可能なアッパレール４とを備える。ロアレール３は、前後方向（長手方向）に延在する底壁部３２と、底壁部３２の幅方向における両端部から上方向に延在する一対の側壁部３１とを有している。そして、各側壁部３１の先端には、ロアレール３の幅方向における内側に向かって折り返された折返し壁部３３が形成されている。また、アッパレール４は、前後方向（長手方向）に延在する蓋壁部４２と、蓋壁部４２の幅方向における両端部から下方向に延在する一対の側壁部４１とを有している。そして、側壁部４１の先端には、幅方向における外側に向かって折り返された折返し壁部４３が形成されている。
【００２４】
このロアレール３及びアッパレール４は、略Ｕ字状の断面形状を有しており、ロアレール３及びアッパレール４の開口側が互いに突き合わされるように組み合わされる。そして、組み合わせた際には、アッパレール４の折返し壁部４３が、ロアレール３の折返し壁部３３の内側に配置される。これにより、アッパレール４は、ロアレール３の上方向に抜け止めされる。
【００２５】
ロアレール３は、前後方向に並んだ複数の円形の係止孔３４を有しており、係止孔３４は、所定の間隔をもって底壁部３２に形成されている。また、ロアレール３は、前後方向に並んだ複数の四角形のロック孔３５を有しており、ロック孔３５は、所定の間隔をもって側壁部３１の折返し壁部３３に形成されている。一方、アッパレール４は、前後方向に並んだ複数の内側挿通孔４４と外側挿通孔４５とを有している。そして、内側挿通孔４４は、所定の間隔をもって側壁部４１に形成されており、外側挿通孔４５は所定の間隔をもって折返し壁部４３に形成されている。なお、内側挿通孔４４及び外側挿通孔４５は、ロアレール３のロック孔３５と位置設定をして形成されており、ロック孔３５を介して、後述するロック爪２３を内側挿通孔４４及び外側挿通孔４５に挿入することができる。例えば、図２においては、それぞれ４個の内側挿通孔４４及び外側挿通孔４５が、前後方向で連続して並んだ任意の４個のロック孔３５と対面するようにそれぞれの間隔が設定されている。
【００２６】
側壁部４１と蓋壁部４２との接続部分には、内側挿通孔４４及び外側挿通孔４５と対応する位置に貫通孔４６が形成されている。そして、一対のブラケット２１が、アッパレール４の蓋壁部４２にリベットにより締結される。それぞれのブラケット２１には、貫通孔４６の前端及び後端の位置に合わせて軸受片が形成されている。そして、それぞれの軸受片には、不図示のロックレバーピンが挿入される穴が形成されている。これにより、ブラケット２１は、ロアレール３に対するアッパレール４の移動を規制するロック部材としてのロックレバー２２を支持している。また、ロックレバー２２は、ブラケット２１によってロックレバーピンを介して回動可能に支持されている。
【００２７】
ロックレバー２２は、前後方向に所定の間隔をもって並んだ複数のロック爪２３を有している。このロック爪２３は、本体部から下方に延出して外側に折り返されるように形成されている。そして、アッパレール４の移動が規制されている状態（ロック状態）では、ロック爪２３が、外側挿通孔４５と、内側挿通孔４４と、ロック孔３５とにこの順で挿入されている。なお、ロック爪２３は、解除ハンドル６の操作に伴いロックレバーピンを中心として回動する。これにより、ロック爪２３を、外側挿通孔４５、内側挿通孔４４及びロック孔３５に挿入してアッパレール４の移動を規制し、又はこれらからロック爪２３を抜き出して該規制を解除することができる。
【００２８】
また、ロックレバー２２には、ロックスプリング２４が係止されている。そして、ロックレバー２２は、ロック爪２３に向かって回転するように、該ロックスプリング２４によって常時付勢されている。また、ロックレバー２２へは、解除ハンドル６に連結された連結棒２５を介して力が伝達される。これにより、解除ハンドル６を操作した力がロックレバー２２に伝達されると、ロックレバー２２は、ロックスプリング２４の付勢力に抗してロアレール３の外方に向かって回転する。その結果、ロック爪２３がロック孔３５と、内側挿通孔４４と、外側挿通孔４５とからこの順で抜き出され、ロック状態が解除される。
【００２９】
続いて、図３に示すように、ロアレール３の底壁部３２には、メモリ部材としてのメモリピース１０が載置される。このメモリピース１０は、スライダ１１と、付勢手段としてのコイルスプリング１２（図４Ａ）と、メモリピン１３とを備えている。また、メモリピース１０は、前方移動において、ブラケット９に固着された前側ストッパピン９１によって移動範囲が制限されている。また、後方移動において、メモリピース１０は、ロアレール３の底壁部３２に締結された後側ストッパピン３０によって移動範囲が制限されている。
【００３０】
メモリピン１３は、ロックレバー２２による規制の解除に連動してロアレール３の係止孔３４に挿入されると共に、係止孔３４に挿入された状態でアッパレール４の移動を制限する。また、スライダ１１は、アッパレール４の両側壁部４１間の距離よりも小さい幅を有しており、略ブロック状に成形されている。そして、スライダ１１は、ロアレール３とアッパレール４との間の内部空間内に配置され、ロアレール３の底壁部３２に対して前後方向に摺動することができる。さらに、スライダ１１の前側端部には、前側当接部１１１（図３）が設けられており、スライダ１１の後側端部には、後側当接部１１２が設けられている。この後側当接部１１２の上側には、後方に向かうにつれて高さが低くなるように傾斜面が形成されている。
【００３１】
後述する図４Ａ及び図４Ｂに示すように、スライダ１１には、コイルスプリング１２が収容されており、メモリピン１３は、コイルスプリング１２に挿入されている。このメモリピン１３は、スライダ１１の内側形状に合わせた略四角柱状の形状を有する頭部１３１と、頭部１３１から下方に突出して略四角柱状の形状を有する係止部１３２とを有する。この頭部１３１は、コイルスプリング１２上に載置され、係止部１３２は、コイルスプリング１２内に挿入される。
【００３２】
図３に示すように、メモリピース１０上に配置されたアッパレール４には、係止壁部４７１を有するストッパブラケット４７が固定されている。また、ストッパブラケット４７は、爪状の保持部４７２を有し、保持部４７２は、後方に向かうにつれて下方に向かうように傾斜している傾斜面を有する。さらに、アッパレール４には、ストッパブラケット４７の後方に隣接して、メモリ保持ブラケット４８が固定されている。そして、メモリピン１３がロアレール３に固定されていない場合、保持部４７２と係止壁部４７１は、メモリピン１３の頭部１３１を挟持する。これにより、アッパレール４が前方に移動するとき、メモリピース１０も、保持部４７２と係止壁部４７１に挟持されたメモリピン１３と共に前方に移動する。
【００３３】
メモリピース１０が前側ストッパピン９１に当接して前方移動が規制されると、アッパレール４の更なる前方への移動により、メモリピン１３の後側面が保持部４７２の傾斜面に押圧される。これにより、メモリピン１３は、保持部４７２によってコイルスプリング１２の付勢力に抗して下方に移動する。ここで、メモリピース１０が前側ストッパピン９１に当接する位置では、ロアレール３の係止孔３４の上方にメモリピン１３が位置する。そのため、メモリピン１３が下方に移動すると、メモリピン１３の先端にある係止部１３２が係止孔３４を貫通する。その後、アッパレール４が更に前方に移動すると、メモリピン１３の頭部１３１の上面がメモリ保持ブラケット４８の下面に押圧される。これにより、メモリピース１０は、ロアレール３の底壁部３２に固定され、前方への移動が規制される。すなわち、アッパレール４は、メモリピース１０をロアレール３に残した状態で、前方へ移動することができる。
【００３４】
その後、アッパレール４が後方に移動するとき、係止壁部４７１がロアレール３に固定されたメモリピース１０の前側当接部１１１に当接すると、ロアレール３に対するアッパレール４の後方への移動が一時的に規制される。このとき、メモリピン１３の頭部１３１は、係止壁部４７１と保持部４７２との間に位置するため、コイルスプリング１２に付勢されてメモリピン１３が上方に移動する。これにより、係止部１３２が係止孔３４から抜け出し、メモリピース１０の固定が解除される。そして、アッパレール４が更に後方に移動する際には、保持部４７２と係止壁部４７１に挟持されたメモリピン１３と共に、メモリピース１０が後方に移動する。
【００３５】
アッパレール４は、蓋壁部４２の上面に固定されたサポートブラケット４９を有する。そして、サポートブラケット４９には、解除レバー８１が回動可能に連結されている。この解除レバー８１は、シートバック８の前倒しに連動して、前方に（図３における反時計回り方向）に回動する。そして、解除レバー８１の回動に伴い、解除レバー８１の前端部は、ロックレバー２６（図２）に当接する。これにより、解除レバー８１の前端部がロックレバー２６を押して回転させ、ロックレバー２６によるロック状態を解除することができる。なお、シートバック８が起立した状態では、解除レバー８１が、付勢手段（不図示）によりロックレバー２６から離れる方向に常時付勢されている。
【００３６】
サポートブラケット４９の長手方向における中間部には、メモリピース１０の作動レバー８２が回動可能に連結されている。この作動レバー８２は、リンク部材８３を介して解除レバー８１に連結されている。そして、作動レバー８２は、解除レバー８１の回動に連動して、前方に（図３における反時計回り方向）に回動する。そのため、作動レバー８２は、シートバック８の前倒しに連動して前方に回動する。そして、作動レバー８２の回動に伴い、作動レバー８２の前端部は、メモリピン１３の頭部１３１に当接する。これにより、作動レバー８２の前端部がメモリピン１３を下方に移動させると、メモリピン１３の係止部１３２がロアレール３の係止孔３４を貫通する。その後、アッパレール４が前方に移動すると、メモリピン１３の頭部１３１の上面がメモリ保持ブラケット４８の下面に押圧される。これにより、メモリピース１０は、ロアレール３の底壁部３２に固定され前方への移動が規制される。
【００３７】
すなわち、シートバック８の前倒しに連動してメモリピース１０がロアレール３に固定される。同時に、解除レバー８１の回転に伴い、ロックレバー２６によるロック状態も解除される。これにより、アッパレール４は、メモリピース１０をロアレール３に残した状態、すなわちメモリピン１３及びメモリピース１０がメモリ位置にある状態で前方へ移動することができる。このメモリ位置では、係止孔３４に挿入されたメモリピン１３によって、メモリピース１０の移動が規制されている。そのため、アッパレール４の後方移動は、メモリピン１３によって制限される。
【００３８】
その後、アッパレール４が後方に移動すると、アッパレール４の係止壁部４７１の後端がメモリピース１０の前側当接部１１１に当接し、アッパレール４の後方移動が一時的に規制される。これにより、アッパレール４は、前方に移動する前の元位置（メモリ位置）に復帰する。この元位置でシートバック８を引き起こすと、解除レバー８１によるロックレバー２６の押圧が解除される。そのため、ロックレバー２６のロック爪２３が、ロアレールのロック孔３５に挿入され、アッパレール４の移動が元位置で規制される。このようにして、シート１００（アッパレール４）を元位置に戻すことができる。
【００３９】
さらに、図４Ａ、図４Ｂ、図５及び図６を参照して、第１実施形態に係るメモリピース１０について説明する。なお、図４Ａは、メモリピン１３の係止部１３２がロアレール３の係止孔３４上に位置する状態を示している。また、図４Ｂは、メモリ時の係止部１３２が、係止孔３４に挿入された状態を示している。
【００４０】
メモリピース１０は、メモリピン１３に移動可能に支持されると共に、メモリピン１３の挿入時に該メモリピン１３と共に係止孔３４に挿入できるように構成されている少なくとも一つの係止補助部材１４，１５を有する。さらに、係止補助部材１４，１５は、係止孔３４への挿入により、該係止孔３４の上側内縁に当接する。また、メモリピン１３は、係止孔３４に挿入される係止部１３２を有している。そして、係止補助部材１４，１５は、テーパ形状を有すると共に、係止部１３２の延在方向（上下方向）に移動可能となるように係止部１３２に支持されている。第１実施形態に係るメモリピース１０は、この係止補助部材（楔部材）として、アッパレール４の移動方向においてメモリピン１３の前側に配置されている前側係止補助部材１４と、アッパレール４の移動方向においてメモリピン１３の後側に配置されている後側係止補助部材１５とを有している。
【００４１】
前側係止補助部材１４及び後側係止補助部材１５は、ロアレール３の係止孔３４に挿入可能な位置に配置されている。また、前側係止補助部材１４の前面には、テーパ形状として、連続して傾斜した傾斜面が形成されている。同様に、後側係止補助部材１５の後面には、テーパ形状として、連続して傾斜した傾斜面が形成されている。これにより、前側係止補助部材１４及び後側係止補助部材１５は、下方に向かうにつれて先細るテーパ形状を有している。
【００４２】
さらに、メモリピース１０は、係止孔３４に向かって前側係止補助部材１４及び後側係止補助部材１５を付勢する弾性部材１６を有している。そして、弾性部材１６は、頭部１３１から係止孔３４に向かう方向に、前側係止補助部材１４及び後側係止補助部材１５を常時押し下げている。また、メモリピン１３の先端部には、前側係止補助部材１４及び後側係止補助部材１５の先端に当接して、前側係止補助部材１４及び後側係止補助部材１５の抜け落ちを防止する脱落規制部として、フランジ１７が設けられている。このフランジ１７は、前側係止補助部材１４及び後側係止補助部材１５の抜け落ちを防止するために、メモリピン１３の先端部（下端部）に配置されている。これらの構成により、係止部１３２が係止孔３４に挿入されたときに、前側係止補助部材１４及び後側係止補助部材１５は、係止部１３２と係止孔３４との間の隙間を埋めるように挿入される。
【００４３】
換言すると、メモリピース１０がロアレール３に固定されたときに、前側係止補助部材１４及び後側係止補助部材１５は、係止部１３２と係止孔３４との間の隙間に挿入される。すなわち、メモリ位置にメモリピン１３が固定される場合には、図４Ａに示す状態でシートバック８を前倒しする操作が行われる。これにより、作動レバー８２（図３）の前端部は、メモリピン１３の頭部１３１に当接する。そして、矢印Ｉで示す力によって作動レバー８２の前端部がメモリピン１３を下方に移動させると、図４Ｂに示すように、メモリピン１３の係止部１３２がロアレール３の係止孔３４を貫通する。このとき、係止部１３２と係止孔３４との間には、両者のクリアランスに起因する隙間が発生する。そして、係止孔３４の前側内縁と係止部１３２との間の隙間ｄ１には、弾性部材１６に付勢されて前側係止補助部材１４が挿入される。また、係止孔３４の後側内縁と係止部１３２との間の隙間ｄ２には、弾性部材１６に付勢されて後側係止補助部材１５が挿入される。
【００４４】
そして、メモリ時において、メモリピン１３と係止孔３４との間の隙間を埋めることができる。その結果、復帰時において、メモリ部材１０にアッパレール４から後方に向かう力が加わったとしても、隙間に起因するメモリピース１０の移動を防止することができる。これにより、メモリ時と復帰時との間において、メモリピン１３と係止孔３４との相対位置のずれの発生を防止することができる。そのため、ロック爪２３とロック孔３５との相対位置のずれを防止することができるので、シート１００を正確な元位置に復帰させることができる。
【００４５】
なお、前側係止補助部材１４及び後側係止補助部材１５は、同じ長さを有する。ただし、前側係止補助部材１４が係止孔３４に挿入される長さと、後側係止補助部材１５が係止孔３４に挿入される長さとは、隙間の距離に応じて異なることがある。仮に前側係止補助部材１４及び後側係止補助部材１５の一方が係止孔３４に挿入されない場合であっても、他方が係止孔３４に挿入されれば隙間を埋めることができる。そのため、係止部１３２の形状をテーパ状に形付ける場合と比較して、前側係止補助部材１４及び後側係止補助部材１５のテーパ角度は急角度に設定することができる。これにより、復帰時において、メモリピース１０に後方に向かう大きな力が加わったとしても、メモリピン１３が係止孔３４に乗り上げてしまうことを防止できる。
【００４６】
また、前側係止補助部材１４は突部１４１を有しており、後側係止補助部材１５は突部１５１を有している。そして、メモリピース１０は、前側係止補助部材１４及び後側係止補助部材１５を案内する案内部１８を有しており、案内部１８には、突部１４１及び突部１５１が挿入される。すなわち、図４ＡのＶ−Ｖ断面を示す図５に示すように、係止部１３２の前部と後部には、断面略Ｔ字状の溝からなる案内部１８が形成されている。そして、前側係止補助部材１４及び後側係止補助部材１５は、メモリピン１３に形成された案内部１８に挿入される。さらに、図６に示すように、案内部１８は上下方向に延在して係止部１３２の下端において開口している。そして、前側係止補助部材１４は、上下方向に直交する幅方向における両端部に突部１４１を有しており、突部１４１は、上下方向に延在している。同様に、後側係止補助部材１５も、幅方向における両端部に突部１５１を有しており、突部１５１は、上下方向に延在している。そして、前側係止補助部材１４及び後側係止補助部材１５が係止部１３２に対して上下方向に摺動可能なように、突部１４１及び突部１５１が案内部１８に挿入されている。
【００４７】
前側係止補助部材１４及び後側係止補助部材１５を係止部１３２に取り付けた後には、係止部１３２の下端にフランジ１７が取り付けられる。フランジ１７は、少なくとも案内部１８の下端側（先端側）の開口に重なるように、係止部１３２の下端部の外径よりも大きなサイズを有する。これにより、前側係止補助部材１４及び後側係止補助部材１５が係止部１３２から抜け落ちることを防止できる。
【００４８】
なお、前側係止補助部材１４及び後側係止補助部材１５は、例えば鉄などによって形成することができる。また、弾性部材１６は、例えば円筒状のゴムなどである。また、フランジ１７は、例えば鉄製の板部材などであり、係止部１３２の下端に接着又は溶接されている。このフランジ１７は、板部材には限定されず、案内部１８の下端開口に重なる限りにおいて、棒部材などであってもよい。また、前側の案内部１８と、後側の案内部１８とに、それぞれ別体のフランジ１７を取り付けることもできる。
【００４９】
続いて、図７Ａ及び図７Ｂを参照して、第２実施形態に係るメモリピース２００について説明する。なお、第２実施形態の説明においては、第１実施形態との相違点について説明し、第１実施形態で説明した構成要素については同じ参照番号を付し、その説明を省略する。特に説明した場合を除き、同じ参照符号を付した構成要素は略同一の動作及び機能を奏し、その作用効果も略同一である。
【００５０】
第１実施形態においては、前側係止補助部材１４及び後側係止補助部材１５が、テーパ形状として、連続して傾斜した傾斜面を有している。一方、第２実施形態では、前側係止補助部材２１４及び後側係止補助部材２１５が、テーパ形状として、前側係止補助部材２１４及び後側係止補助部材２１５のそれぞれの先端に向かって段階的に先細る階段形状を有している。
【００５１】
すなわち、前側係止補助部材２１４の前面及び後側係止補助部材２１５の後面に、段階的に先細る階段形状が形成されている。例えば、図７Ａに示すように、前側係止補助部材２１４及び後側係止補助部材２１５は、前後方向における厚みが４段階に異なる階段形状を有している。これにより、前側係止補助部材２１４及び後側係止補助部材２１５は、いずれも下方に向かうにつれて先細る形状を有している。また、前側係止補助部材２１４における階段形状の各段の前側には、上下方向に延在する略垂直な平面が形成されている。同様に、後側係止補助部材２１５における階段形状の各段の後側には、上下方向に延在する略垂直な平面が形成されている。
【００５２】
このような第２実施形態に係る前側係止補助部材２１４及び後側係止補助部材２１５も、メモリピース２００がロアレール３に固定されたときに、係止部１３２と係止孔３４との間の隙間に挿入される。すなわち、メモリ位置にメモリピン１３を固定する場合、図７Ａに示す状態でシートバック８を前倒しする操作が行われる。これにより、作動レバー８２（図３）の前端部は、メモリピン１３の頭部１３１に当接する。そして、矢印Ｉで示す力によって作動レバー８２の前端部がメモリピン１３を下方に移動させると、図７Ｂに示すように、係止部１３２がロアレール３の係止孔３４を貫通する。このとき、係止部１３２と係止孔３４との間には、両者のクリアランスに起因する隙間が発生する。そして、係止孔３４の前側内縁と係止部１３２との間の隙間には、弾性部材１６に付勢されて前側係止補助部材２１４が挿入される。また、係止孔３４の後側内縁と係止部１３２との間の隙間には、弾性部材１６に付勢されて後側係止補助部材２１５が挿入される。
【００５３】
そして、メモリ時において、メモリピン１３と係止孔３４との間の隙間を埋めることができる。その結果、復帰時において、メモリ部材２００にアッパレール４から後方に向かう力が加わったとしても、隙間に起因するメモリピース１０の移動を防止することができる。これにより、メモリ時と復帰時との間において、メモリピン１３と係止孔３４との相対位置のずれの発生を防止することができる。そのため、ロック爪２３とロック孔３５との相対位置のずれを防止することができるので、シート１００を正確な元位置に復帰させることができる。
【００５４】
さらに、第２実施形態に係る前側係止補助部材２１４の前面及び後側係止補助部材２１５の後面には、係止孔３４の内縁と当接する部分に、略垂直な平面を形成することができる。これにより、復帰時において、メモリピース２００に後方に向かう大きな力が加わったとしても、メモリピン１３が係止孔３４に乗り上げてしまうことをより確実に防止できる。
【００５５】
以上、各実施形態を参照して本発明について説明したが、本発明は上記実施形態に限定されるものではない。本発明に反しない範囲で変更された発明、及び本発明と均等な発明も本発明に含まれる。また、上述の各実施形態及び各変形例は、本発明に反しない範囲で適宜組み合わせることができる。
【００５６】
例えば、前側係止補助部材及び後側係止補助部材に加えて、係止部の幅方向（前後方向に直交する方向）における両側面にも係止補助部材を取り付けることもできる。この場合、当該両側面にそれぞれ案内部を形成すると共に、両側面の案内部に係止補助部材を取り付ける。これにより、メモリピンを係止孔の略中央に挿入することができる。また、幅方向において、メモリピンが係止孔からずれてしまうことを防止できる。そのため、幅方向における、ロック爪とロック孔との相対位置のずれを防止することができる。
【００５７】
さらに、係止部に案内部としての突部を形成し、係止補助部材には突部に代えて溝を形成することもできる。例えば、係止部を断面略Ｉ字状に形成し、係止部の前側端部と後側端部にそれぞれ突部を形成する。一方、前側係止補助部材及び後側係止補助部材には、係止部の突部を案内する溝を形成する。すなわち、係止部に、前側係止補助部材及び後側係止補助部材の溝に対して相補的な形状を有する突部を形成する。そして、前側係止補助部材及び後側係止補助部材の溝に、係止部の突部が挿入される。この場合であっても、前側係止補助部材及び後側係止補助部材が係止部に対して上下方向に摺動可能となる。
【００５８】
また、弾性部材は、ゴムに代えてスプリングによって構成することもできる。また、弾性部材を設ける代わりに、前側係止補助部材及び後側係止補助部材が、自重によって係止孔に挿入されるように構成することもできる。さらに、メモリピースは、少なくとも前側係止補助部材及び後側係止補助部材の一方を有していればよい。より好ましくは、メモリピースは、少なくとも後側係止補助部材を有していればよい。
【符号の説明】
【００５９】
１：シートスライド装置、３：ロアレール、４：アッパレール、１０：メモリピース、１３：メモリピン、１４：前側係止補助部材、１５：後側係止補助部材、１６：弾性部材、１７：フランジ、１８：案内部、２２：ロックレバー、２３：ロック爪、３４：係止孔、３５：ロック孔、１００：シート、１３１：頭部、１３２：係止部、１４１：突部、１５１：突部、２００：メモリピース、２１４：前側係止補助部材、２１５：後側係止補助部材
【図１】
2015113070.tif 000003
【図２】
2015113070.tif 000004
【図３】
2015113070.tif 000005
【図４】
2015113070.tif 000006
【図５】
2015113070.tif 000007
【図６】
2015113070.tif 000008
【図７】
2015113070.tif 000009
【図８】
2015113070.tif 000010
【図９】
2015113070.tif 000011